(57)【要約】【課題】一般の家庭用などの照明装置においてもランプの交換時期の報知を可能とする。【解決手段】操作用ワイヤレス信号を受けてランプ３の点灯状態が切替わる照明器具１と、操作用ワイヤレス信号を照明器具１に送信するリモコン装置２とを備えた照明装置において、照明器具１が、ランプ３の累積点灯時間を計時することによりランプ３の交換時期を検出する点灯時間検出部６１と、点灯時間検出部６１がランプ３の交換時期を検出したことを受けて報知用ワイヤレス信号を送出する器具側送受信部５とを備える。リモコン装置２は、報知用ワイヤレス信号を受信するリモコン側送受信部と、リモコン側送受信部が報知用ワイヤレス信号を受信したことを受けてランプ３の交換時期を表示するリモコン側表示部とを備える。【選択図】図１
2005100854.tif 000002
【特許請求の範囲】
【請求項１】
外部からの操作用ワイヤレス信号を受けてランプの点灯状態が切替わる照明器具と、操作用ワイヤレス信号を照明器具に対して送信するリモコン装置とを備え、照明器具は、ランプの交換時期を検出する交換時期検出部と、交換時期検出部がランプの交換時期を検出したことを受けて報知用ワイヤレス信号を送出する器具側送信部とを備え、リモコン装置は、器具側送信部から報知用ワイヤレス信号を受信するリモコン側受信部と、リモコン側受信部がランプの交換時期を示す報知用ワイヤレス信号を受信したことを受けてランプの交換時期を報知するリモコン側報知部とを備えることを特徴とする照明装置。
【請求項２】
電話回線に接続される電話回線接続部と、前記器具側送信部から前記報知用ワイヤレス信号を受信する通信装置側受信部と、通信装置側受信部がランプの交換時期を示す報知用ワイヤレス信号を受信したことを受けて電話回線接続部により定められた所定の他装置に電話回線を介して前記ランプの交換時期を通知する通知部とを備える通信装置が付加されたことを特徴とする請求項１記載の照明装置。
【請求項３】
データ通信が可能なネットワークに接続されるネットワーク接続部と、前記器具側送信部から前記報知用ワイヤレス信号を受信する通信装置側受信部と、通信装置側受信部がランプの交換時期を示す報知用ワイヤレス信号を受信したことを受けて前記ランプの交換時期を通知する電子メールを作成する電子メール作成部と、電子メール作成部により作成された電子メールをネットワーク接続部により定められた所定の他装置に電話回線を介して送信する通知部とを備える通信装置が付加されたことを特徴とする請求項１記載の照明装置。
【請求項４】
前記照明器具は、前記交換時期検出部が前記ランプの交換時期を検出したことを受けてランプの交換時期を報知する器具側報知部を備えることを特徴とする請求項１ないし請求項３のいずれか１項に記載の照明装置。
【請求項５】
ランプと、リモコン装置から送信される操作用ワイヤレス信号を受信する器具側受信部と、ランプの点灯状態を切替える点灯装置と、ランプの交換時期を検出する交換時期検出部と、交換時期検出部がランプの交換時期を検出したことを受けて報知用ワイヤレス信号を送出する器具側送信部とを備えることを特徴とする照明器具。
【請求項６】
照明器具のランプの点灯状態を切替える操作用ワイヤレス信号を照明器具に対して送信するリモコン側送信部と、照明器具からの報知用ワイヤレス信号を受信するリモコン側受信部と、リモコン側受信部がランプの交換時期を示す報知用ワイヤレス信号を受信したことを受けてランプの交換時期を報知するリモコン側報知部を備えることを特徴とするリモコン装置。
【発明の詳細な説明】
【技術分野】
【０００１】
本発明は、外部からの操作用ワイヤレス信号を受けてランプの点灯状態が切替わる照明器具と、操作用ワイヤレス信号を照明器具に対して送信するリモコン装置と、前記照明器具と前記リモコン装置とを備えた照明装置とに関するものである。
【背景技術】
【０００２】
以下に従来構成として示す照明装置と本発明の照明装置とは基本的な構成が共通しているから、共通部分については図２を参照して説明する。
【０００３】
一般に、外部からの操作用ワイヤレス信号を受けてランプ３の点灯状態が切替わる照明器具１と、操作用ワイヤレス信号を照明器具１に対して送信するリモコン装置２とを備えた照明装置が知られている。リモコン装置２から送信される操作用ワイヤレス信号としては一般に赤外線が用いられる。照明器具１は、ランプ３と、ランプ３を点灯させる点灯装置４と、リモコン装置２から送信される操作用ワイヤレス信号を受信する器具側受信部（図２では符号５の位置に設けられる）とを備える。ランプ３にはフィラメントを備えた蛍光灯のような熱陰極形放電灯を用いる。
【０００４】
点灯装置４は、具体的には、図１１に示すように、商用電源ＡＣを直流電源に変換する直流変換回路４１と、直流変換回路４１の出力を高周波電圧に変換してランプ３に印加するインバータ回路４２と、直流変換回路４１およびインバータ回路４２の動作を制御する制御部４３とを備える。
【０００５】
直流変換回路４１は、昇圧チョッパ回路を含む。すなわち、直流変換回路４１は、商用電源ＡＣを整流するダイオードブリッジのような整流器ＤＢを備え、整流器ＤＢの出力端間に、インダクタＬ１とスイッチング素子Ｑ１との直列回路がインダクタＬ１を整流器ＤＢの正極の出力端に接続する形で接続され、スイッチング素子Ｑ１の両端間に、コンデンサＣ２とダイオードＤ１との直列回路がダイオードＤ１のアノードをスイッチング素子Ｑ１とインダクタＬ１との接続点に接続する形で接続されて構成される。また、整流器ＤＢの出力端間には、ノイズ対策用のコンデンサＣ１が接続される。
【０００６】
一方、インバータ回路４２は、ハーフブリッジ形として知られている構成であって、直流変換回路４１の出力端間（コンデンサＣ２の両端間）に一対のスイッチング素子Ｑ２、Ｑ３の直列回路が接続され、一方のスイッチング素子Ｑ３の両端間にコンデンサＣ３を介して負荷回路が接続される構成を有する。負荷回路は、インダクタＬ２とコンデンサＣ４との直列回路からなる共振回路と、コンデンサＣ４の両端に接続されるランプ３とで構成される。また、スイッチング素子Ｑ３の両端間にコンデンサＣ３を介してコンデンサＣ５と２個の２次巻線を備えた予熱用トランスＴ１の１次巻線との直列回路が接続され、予熱用トランスＴ１の各２次巻線がランプ３のフィラメントに夫々接続される構成によって、フィラメントを予熱する。
【０００７】
直流変換回路４１およびインバータ回路４２の出力を決定する各スイッチング素子Ｑ１、Ｑ２、Ｑ３のオンオフは制御部４３によって制御される。制御部４３には器具側受信部５’が接続され、直流変換回路４１とインバータ回路４２との少なくとも一方の出力は、リモコン装置２から送信され器具側受信部５’で受信される操作用ワイヤレス信号によって切替わる。つまり、ランプ３の点灯状態を切替える指示は、リモコン装置２から操作用ワイヤレス信号として器具側受信部５’に対して送信され、制御部４３に伝達されるのであって、リモコン装置２によって照明器具１におけるランプ３の点灯状態を切替えることができる。
【０００８】
ところで、ランプには寿命があり、寿命末期のランプにおいては、フィラメントが断線したり、ランプの点灯時にランプの両端電圧が正常時に比べて上昇するなどの状況に至る。この場合に、点灯装置に多大なストレスがかかってしまう可能性があるので、多くの点灯装置においては、ランプが寿命末期にあることを検出して点灯装置の出力停止または点灯装置の出力制限を行う保護機能が設けられている。
【０００９】
しかし、保護機能が動作した時点で交換用のランプが用意されていない場合に、保護機能が動作してから交換用のランプを用意し交換するまでの期間に照明装置は照明として機能しなくなる。一般の家庭などにおいては、交換用のランプが常備されていることが少なく、保護機能が動作した際に照明装置が長時間にわたって照明として機能しなくなってしまうから、保護機能が動作する前にランプの交換時期を知りたいという要求があった。
【００１０】
この要求に対応できる照明装置として、保護機能が動作するより前にランプの交換時期を検出する交換時期検出部としての寿命検出部を照明器具に備えたものを、本件出願人は先に提案している。寿命検出部は、ランプが寿命末期にあることを検出すると、ネットワークを介して他装置に交換信号を送信する。この照明装置によれば、保護機能が動作することによって照明装置が照明として機能しなくなる前に、ランプの交換時期を照明装置から離れた場所に設置された他装置に通知することができる（たとえば、特許文献１参照）。
【００１１】
この照明装置を用いることによって、たとえば、複数のビルに夫々設けられた照明装置のランプの交換時期を監視センター等に設置された他装置で一括して監視することができ、保護機能が動作する前にランプを交換することが可能になる。
【特許文献１】特開２００３−６８４７５号公報（第４頁、図４）
【発明の開示】
【発明が解決しようとする課題】
【００１２】
しかし、上述したような照明装置を使用するためには、照明装置の設置に加えて、他装置の設置が必要であって、さらには、照明器具と他装置とを接続するネットワークの構築も必要である。すなわち、この照明装置を採用するには多大な費用を必要とするから、この照明装置は一般の家庭用としては採用できない。
【００１３】
本発明は上記事由に鑑みて為されたものであって、一般家庭用として使用できランプの交換時期が報知可能な照明装置および当該照明装置を構築可能な照明器具とリモコン装置とを提供することを目的とする。
【課題を解決するための手段】
【００１４】
請求項１の発明では、照明装置は、外部からの操作用ワイヤレス信号を受けてランプの点灯状態が切替わる照明器具と、操作用ワイヤレス信号を照明器具に対して送信するリモコン装置とを備え、照明器具が、ランプの交換時期を検出する交換時期検出部と、交換時期検出部がランプの交換時期を検出したことを受けて報知用ワイヤレス信号を送出する器具側送信部とを備え、リモコン装置が、器具側送信部から報知用ワイヤレス信号を受信するリモコン側受信部と、リモコン側受信部がランプの交換時期を示す報知用ワイヤレス信号を受信したことを受けてランプの交換時期を報知するリモコン側報知部とを備えることを特徴とする。
【００１５】
この構成によれば、照明器具のランプの点灯状態を切替えるために用いるリモコン装置によってランプの交換時期を報知することができる。その結果、照明器具とリモコン装置と以外に他の装置が不要であり、他装置の追加を必要としないから、一般の家庭用として容易に採用できる。しかも、ランプの交換時期を報知させるために他装置を新規に設置する必要がないから、コスト増を抑制できる。
【００１６】
また、請求項２の発明は、請求項１の発明において、電話回線に接続される電話回線接続部と、前記器具側送信部から前記報知用ワイヤレス信号を受信する通信装置側受信部と、通信装置側受信部がランプの交換時期を示す報知用ワイヤレス信号を受信したことを受けて電話回線接続部により定められた所定の他装置に電話回線を介して前記ランプの交換時期を通知する通知部とを備える通信装置が付加されたことを特徴とする。
【００１７】
この構成によれば、リモコン装置に加えて照明装置から離れて設けられた他装置に対してもランプの交換時期を通知することができる。
【００１８】
また、請求項３の発明は、請求項１の発明において、データ通信が可能なネットワークに接続されるネットワーク接続部と、前記器具側送信部から前記報知用ワイヤレス信号を受信する通信装置側受信部と、通信装置側受信部がランプの交換時期を示す報知用ワイヤレス信号を受信したことを受けて前記ランプの交換時期を通知する電子メールを作成する電子メール作成部と、電子メール作成部により作成された電子メールをネットワーク接続部により定められた所定の他装置に電話回線を介して送信する通知部とを備える通信装置が付加されたことを特徴とする。
【００１９】
この構成によれば、リモコン装置に加えて照明装置から離れて設けられた他装置に対してもランプの交換時期を通知することができ、しかも、電子メールを用いるから、ランプの交換時期が一目瞭然であって、ランプの交換時期を確実に通知することができる。なお、前記ネットワークは伝送路に電話回線を含んでいてもよい。
【００２０】
また、請求項４の発明は、請求項１ないし請求項３のいずれかの発明において、前記照明器具が、前記交換時期検出部が前記ランプの交換時期を検出したことを受けてランプの交換時期を報知する器具側報知部を備えることを特徴とする。
【００２１】
この構成によれば、ランプの交換時期をリモコン装置に加えて照明器具自体にも表示するから、ランプの交換時期を確実に報知することができる。
【００２２】
また、請求項５の発明では、照明器具は、ランプと、リモコン装置から送信される操作用ワイヤレス信号を受信する器具側受信部と、ランプの点灯状態を切替える点灯装置と、ランプの交換時期を検出する交換時期検出部と、交換時期検出部がランプの交換時期を検出したことを受けて報知用ワイヤレス信号を送出する器具側送信部とを備えることを特徴とする。
【００２３】
また、請求項６の発明では、リモコン装置は、照明器具のランプの点灯状態を切替える操作用ワイヤレス信号を照明器具に対して送信するリモコン側送信部と、照明器具からの報知用ワイヤレス信号を受信するリモコン側受信部と、リモコン側受信部がランプの交換時期を示す報知用ワイヤレス信号を受信したことを受けてランプの交換時期を報知するリモコン側報知部を備えることを特徴とする。
【発明の効果】
【００２４】
本発明は、照明器具のランプの点灯状態を切替えるために用いるリモコン装置によってランプの交換時期を報知することができる。その結果、照明器具とリモコン装置と以外に他の装置が不要であり、他装置の追加を必要としないから、一般の家庭用として容易に採用できる。しかも、ランプの交換時期を報知させるために他装置を新規に設置する必要がないから、コスト増を抑制できるという利点がある。
【発明を実施するための最良の形態】
【００２５】
以下、本発明を実施するための最良の形態を図面を参照して説明する。
【００２６】
（実施形態１）
本実施形態の照明装置は、図２に示すように、天井Ａに設置され外部からの操作用ワイヤレス信号を受けてランプ３の点灯状態が切替わる照明器具１と、操作用ワイヤレス信号を照明器具１に対して送信するリモコン装置２とを備える。操作用ワイヤレス信号には赤外線を用いている。
【００２７】
照明器具１は、図１に示すように、ランプ３と、ランプ３を点灯させる点灯装置４とを備える。ランプ３にはフィラメントを備えた蛍光灯のような熱陰極形放電灯を用いる。点灯装置４は、直流変換回路４１とインバータ回路４２と制御部４３とを備えるものであって、その構成および機能は図１１に示す従来構成と同様であるから、ここでは点灯装置４の説明を省略する。
【００２８】
また、照明器具１は、外部からの操作用ワイヤレス信号を受信する器具側送受信部５を備え、器具側送受信部５が操作用ワイヤレス信号を受信することによって点灯装置４の動作状態が当該操作用ワイヤレス信号に応じて切替わる。一方、リモコン装置２は、図３（ａ）に示すように、照明器具１におけるランプ３の点灯状態を切替えるように夫々操作される複数個の操作釦２１と、照明器具１に対して操作釦２１の操作に応じた操作用ワイヤレス信号を送信するリモコン側送受信部２２と、時刻などを表示することができる液晶表示器のようなリモコン側表示部２３とを備える。この構成によって、従来構成と同様に、照明器具１におけるランプ３の点灯状態がリモコン装置２によって切替わる。
【００２９】
ところで、ランプ３は、寿命末期に至るとされる累積点灯時間が定格寿命としてランプ３の種類毎に定められており、たとえば、高周波点灯専用２重環形蛍光灯の１００形であれば定格寿命は９０００ｈである。ここに、本実施形態では、ランプ３の定格寿命の８０％（たとえば、高周波点灯専用２重環形の１００形であれば７２００ｈ）をランプ３の交換時期とし、ランプ３の交換時期を検出する交換時期検出部としてランプ３の累積点灯時間を計時する点灯時間検出部６１を器具側送受信部５と点灯装置４との間に設けてある（図１参照）。
【００３０】
点灯時間検出部６１は、ランプ３の点灯から消灯までの時間を点灯毎に計時して積算することによりランプ３の累積点灯時間を求める。さらに、点灯時間検出部６１は、照明器具１に備わったランプ３の定格寿命の８０％（交換時期）を設定値としており、累積点灯時間と設定値とを比較することによってランプ３が交換時期に達したかどうかを判断する。したがって、点灯時間検出部６１によって、ランプ３の交換時期を検出することができる。
【００３１】
ところで、本実施形態の照明装置は、照明器具１において検出したランプ３の交換時期をリモコン装置２において報知するために、報知用ワイヤレス信号を送出する器具側送信部としての機能を器具側送受信部５に備えるとともに、報知用ワイヤレス信号を受信するリモコン側受信部としての機能をリモコン側送受信部２２に備え、且つ、ランプ３の交換時期を表示するリモコン側報知部としての機能をリモコン側表示部２３に備える点に特徴がある。ここで、報知用ワイヤレス信号には操作用ワイヤレス信号と同様に赤外線を用いている。
【００３２】
器具側送受信部５は、点灯時間検出部６１がランプ３の交換時期を検出したことを受けてリモコン側送受信部２２に対して報知用ワイヤレス信号を送信する。一方、通常時には時刻などを表示している（図３（ａ）参照）リモコン側表示部２３は、リモコン側送受信部２２が報知用ワイヤレス信号を受信したことを受けてランプ３の交換を促すメッセージ（たとえば、「交換ランプを用意して下さい」）を表示する（図３（ｂ）参照）。この構成によれば、ランプ３の累積点灯時間が交換時期に達すると、ランプ３の交換時期は、報知用ワイヤレス信号によって照明器具１からリモコン装置２に通知され、リモコン装置２において、リモコン側表示部２３の表示によって報知される。
【００３３】
リモコン装置２は、ランプ３の点灯状態を切替える際に使用されるものであってランプ３の点灯状態を切替える操作の度に使用者の視界に入るから、上述したようにリモコン装置２においてランプ３の交換時期を表示することによって、ランプ３の交換時期を使用者に通知することができる。したがって、この照明装置によれば、使用者は、ランプ３の交換時期を知ることができるから、照明として機能しなくなる前にランプ３を交換することができる。
【００３４】
なお、リモコン装置２に発光ダイオードを設けて発光ダイオードの点灯によってランプ３の交換時期を通知したり、リモコン装置２にブザー等を設けて音によってランプ３の交換時期を通知したりする構成にしてもよい。
【００３５】
（実施形態２）
本実施形態の照明装置は、図４に示すように、照明装置から離れて設けられた電子メール表示装置７１（他装置）に対してインターネットを利用したイントラネットのようなネットワーク７２を介してランプ３の交換時期を通知する内容の電子メール（たとえば「交換ランプを用意して下さい」）を送信する点が実施形態１の照明装置と相違する。
【００３６】
照明装置は、器具側送受信部５から報知用ワイヤレス信号を受信する通信装置側受信部７３と、通信装置側受信部７３が報知用ワイヤレス信号を受信したことを受けてランプ３の交換時期を通知する電子メールを作成する電子メール作成部７４とを有する通信装置７を照明器具１の外部に備える。さらに、通信装置７は、電子メール作成部７４により作成した電子メールを電子メール表示装置７１に送信するために、ネットワーク７２に接続されるネットワーク接続部７５と、電子メール表示装置７１に対してネットワーク７２を介して当該電子メールを送信する通知部７６とを備える。電子メール表示装置７１には受信した電子メールを表示する機能を有した装置を用いる。
【００３７】
この構成によれば、点灯時間検出部６１がランプ３の交換時期を検出することによって、電子メール表示装置７１に対して照明器具１の外部に設けられた通信装置７からランプ３の交換時期を通知する電子メールがネットワーク７２を介して送信される。その結果、電子メール表示装置７１に表示される電子メールによって、照明装置と離れた場所であってもランプ３の交換時期を知ることができる。しかも、ランプ３の交換時期の通知には電子メールを用いるから、ランプ３の交換時期が一目瞭然であって、ランプ３の交換時期を確実に通知することができる。その他の構成および機能は実施形態１と同様である。
【００３８】
（実施形態３）
本実施形態の照明装置は、図５に示すように、点灯時間検出部６１と器具側送受信部５との間にランプ３の点灯回数を検出する点灯回数検出部６２が挿入される点と、電気店等に設置される注文装置８（他装置）に対して電話回線８１を介してランプ３の交換時期を通知する点とが実施形態１の照明装置と相違する。
【００３９】
ランプ３が放電灯である場合に、寿命の主たる原因としてフィラメントに設けられたエミッタの減少によって生じるエミレスが知られている。消灯状態のランプ３を点灯させる際に放電開始のために始動電圧をランプ３に印加する必要があり、始動電圧は点灯時にランプ３に印加される電圧より大きいから、放電開始時には点灯時よりもエミッタがフィラメントから飛散し易い。要するに、ランプ３の点灯回数が多いほどランプ３の寿命が短くなる傾向にある。
【００４０】
そこで、本実施形態では、点灯回数検出部６２が検出する点灯回数の増加に応じて、点灯時間検出部６１における設定値を減少させることによって、ランプ３の点灯回数の増加に伴ってランプ３の交換時期を早くする。すなわち、ランプ３の交換時期に対して、点灯回数によって変化する寿命と同じ傾向を付与することによって正確な交換時期を報知することができる。
【００４１】
また、電話回線８１に接続されるリモコン装置内接続部２４（電話回線接続部）と、リモコン側送受信部２２が報知用ワイヤレス信号を受信したことを受けて注文装置８に対して電話回線８１を介してランプ３の交換時期を通知するリモコン装置内通知部２５（通信部）とをリモコン装置２に備える。
【００４２】
この構成によって、ランプ３の交換時期をリモコン装置２において報知するとともに電気店等にランプ３の交換時期が通知されるから、電気店等においてランプ３の交換時期を確認することによって交換用のランプを顧客に届けるなどのサービスが可能になる。その他の構成および機能は実施形態１と同様である。
【００４３】
（実施形態４）
本実施形態の照明装置は、図６に示すように、実施形態１の照明装置における点灯時間検出部６１を省略し、交換時期検出部としてランプ３の両端電圧（以下、ランプ電圧Ｖｌａと称する）を検出するランプ電圧検出部６３を備えた点に特徴を有する。ランプ電圧検出部６３にはランプ電圧Ｖｌａが入力される。
【００４４】
寿命末期のランプ３において、ランプ３の点灯時のランプ電圧Ｖｌａが上昇することは従来構成において述べた通りである。ランプ電圧検出部６３は、ランプ電圧Ｖｌａが比較電圧Ｖ１以上となる期間をランプ３の交換時期とするように設定された比較電圧Ｖ１とランプ電圧Ｖｌａとを比較し、ランプ３の交換時期を検出する。さらに、ランプ電圧検出部６３の出力は器具側送受信部５に入力され、器具側送受信部５は、ランプ電圧検出部６３がランプ３の交換時期を検出したことを受けてリモコン装置２に対して報知用ワイヤレス信号を送信する。
【００４５】
また、ランプ電圧検出部６３は、制御部４３に対しても接続され、ランプ電圧Ｖｌａを比較電圧Ｖ１より大きい比較電圧Ｖ２と比較し、ランプ電圧Ｖｌａが比較電圧Ｖ２以上になると、点灯装置４に多大なストレスがかかることを防止するために点灯装置４の出力停止を行う。
【００４６】
上述した構成では、実施形態１において点灯時間検出部６１がランプ３の交換時期を検出する場合と同様に、ランプ電圧検出部６３がランプ３の交換時期を検出する場合にリモコン装置２においてランプ３の交換時期を報知することができる。また、ランプ３の交換時期を報知することによって交換用のランプの準備が促されるから、その時点で交換用のランプを用意しておけば、そのまま使用し続けて点灯装置４の出力停止がなされても照明装置のランプ３を交換用のランプと即座に交換することができる。すなわち、点灯装置の出力が停止することによって、所望の照度が得られない期間を殆ど無くすことができる。その他の構成および機能は実施形態１と同様である。
【００４７】
（実施形態５）
ランプ３において光束が累積点灯時間に応じて減退すること（光束減退）は周知である。そこで、本実施形態の照明装置は、図７に示すように、実施形態１の照明装置における点灯時間検出部６１を省略し、交換時期検出部としてランプ３の光出力を検出する照度センサ６４を照明器具１に備える点に特徴を有する。
【００４８】
照度センサ６４は、ランプ３の光出力がある値以下に達することをもってランプ３の交換時期を判断する。さらに、照度センサ６４の出力が器具側送受信部５に入力され、器具側送受信部５は、照度センサ６４がランプ３の交換時期を検出したことを受けて報知用ワイヤレス信号をリモコン装置２に対して送信する。
【００４９】
この構成では、実施形態１において点灯時間検出部６１がランプ３の交換時期を検出する場合と同様に、照度センサ６４がランプ３の交換時期を検出する場合にリモコン装置２においてランプ３の交換時期を報知することができる。
【００５０】
また、照度センサ６４は、外光の影響を受け難いように、照明器具１内において、図８に示すように、天井Ａとランプ３との間にランプ３に向かって設置される。ここで、ランプ３が照度センサ６４の外寸分だけ天井Ａから離れるが、器具側送受信部５をランプ３に対して天井Ａと反対側に位置するように設けることによって器具側送受信部５がランプ３の光出力の影響を受け難くすることが望ましい。そこで、本実施形態では、点灯装置４と器具側送受信部５との間に取付台５１を介在させてランプ３の光出力の影響を受け難い位置に器具側送受信部５を設けている。その他の構成および機能は実施形態１と同様である。
【００５１】
（実施形態６）
本実施形態の照明装置は、図９に示すように、ランプ３の交換時期を表示する器具側表示部９（器具側報知部）が照明器具１に付加された点が実施形態１の照明装置と相違する。器具側表示部９と点灯時間検出部６１とが接続されており、器具側表示部９には点灯時間検出部６１の検出する累積点灯時間が入力される。
【００５２】
器具側表示部９は、たとえば、図１０に示すように、図中の左右に並設された複数個（図では６個）の発光ダイオードＤ２〜Ｄ７を備え、ランプ３の累積点灯時間を点灯する発光ダイオードＤ２〜Ｄ７の個数によって表示する。器具側表示部９は、図１０において発光ダイオードＤ２〜Ｄ７のうち右側から並設された２個の発光ダイオードＤ６、Ｄ７の下方に、ランプ３の交換を促す表記９１（たとえば「交換ランプを用意して下さい」）がなされており、ランプ３の累積点灯時間が設定値に達する（すなわち、ランプ３の交換時期を検出する）と、発光ダイオードＤ６、Ｄ７を点灯する。
【００５３】
また、図中の右端部に設けたリセット釦９２は、ランプ３を交換した際に操作されるものであって、リセット釦９２の操作によって点灯時間検出部６１における累積点灯時間をリセットできる。
【００５４】
このように、リモコン装置２においてランプ３の交換時期を報知することに加えて、照明器具１自体にもランプ３の交換時期を報知する手段を設けることによって、ランプ３の交換時期を確実に報知することができる。その他の構成および機能は実施形態１と同様である。
【００５５】
なお、器具側送受信部５から送出される報知用ワイヤレス信号をリモコン装置４以外の装置により受信する構成にしてもよい。実施形態３においては、リモコン装置内接続部２４とリモコン装置内通知部２５とをリモコン装置２と別に設けて通信装置を構成し報知用ワイヤレス信号を通信装置により受信してもよく、その場合に実施形態２に用いたような通信装置側受信部７３を通信装置に設ける必要がある。また、リモコン側報知部や器具側報知部は、上述したものに限らずランプ３の交換時期を報知するものであればよく、たとえば、リモコン装置２側にランプ３の累積点灯時間を表示する構成なども考えられる。
【図面の簡単な説明】
【００５６】
【図１】本発明の実施形態１を示すブロック図である。
【図２】同上の構成を示す概略図である。
【図３】同上のリモコン装置を示し、（ａ）は通常時における正面図、（ｂ）はランプの交換時期における正面図である。
【図４】本発明の実施形態２を示すブロック図である。
【図５】本発明の実施形態３を示すブロック図である。
【図６】本発明の実施形態４を示すブロック図である。
【図７】本発明の実施形態５を示すブロック図である。
【図８】同上の照明器具を示し、（ａ）は側方から見た概略図、（ｂ）は正面から見た概略図である。
【図９】本発明の実施形態６を示すブロック図である。
【図１０】同上の器具側表示部を示す正面図である。
【図１１】従来例の照明器具を示す回路図である。
【符号の説明】
【００５７】
１  照明器具
２  リモコン装置
３  ランプ
５  器具側送受信部
７  通信装置
９  器具側表示部
２２  リモコン側送受信部
２３  リモコン側表示部
２４  リモコン装置内接続部
２５  リモコン装置内通知部
６１  点灯時間検出部
６２  点灯回数検出部
６３  ランプ電圧検出部
６４  照度センサ
７１  電子メール表示装置
７２  ネットワーク
７３  通信装置側受信部
７４  電子メール作成部
７５  ネットワーク接続部
７６  通知部
８１  電話回線
【図１】
2005100854.tif 000003
【図２】
2005100854.tif 000004
【図３】
2005100854.tif 000005
【図４】
2005100854.tif 000006
【図５】
2005100854.tif 000007
【図６】
2005100854.tif 000008
【図７】
2005100854.tif 000009
【図８】
2005100854.tif 000010
【図９】
2005100854.tif 000011
【図１０】
2005100854.tif 000012
【図１１】
2005100854.tif 000013